(57)【要約】【課題】建設機械に記憶されている暗証番号を随時書き換えることができ、建設機械の盗難を確実に防止できる装置を提供する。【解決手段】建設機械盗難防止装置１を、テンキー２と、半導体メモリ３と、テンキー２より入力された暗証番号と半導体メモリ３に記憶された暗証番号とを比較する比較手段４と、暗証番号の変更時に操作される暗証番号変更スイッチ５と、エンジン始動用のキースイッチ６とエンジンスタータ７との間に介設されたトランジスタ８と、前記テンキー２、半導体メモリ３、比較手段４及び暗証番号変更スイッチ５を制御すると共に前記トランジスタ８への信号の出力を制御するＣＰＵ９とから構成する。暗証番号を変更する場合には、暗証番号変更スイッチ５をオン操作又はオフ操作し、半導体メモリ３における未記録の暗証番号記録エリアを選択した後、テンキー２を操作して選択された暗証番号記録エリアに新たな暗証番号を記憶する。【選択図】　　　図１
2004058720.tif 000002
【特許請求の範囲】
【請求項１】
暗証番号の入力手段と、暗証番号の記憶手段と、前記入力手段より入力された暗証番号と前記記憶手段に記憶された暗証番号とを比較し、両方の暗証番号が一致したときにキースイッチ操作によるエンジンスタータの始動を可能とし、両方の暗証番号が不一致であるときにはキースイッチ操作によるエンジンスタータの始動を阻止する比較部とを備えた建設機械の盗難防止装置において、前記入力手段による前記記憶手段に記憶された暗証番号の書き換えを可能にする暗証番号書換手段を備えたことを特徴とする建設機械の盗難防止装置。
【請求項２】
前記暗証番号書換手段として、操作時に前記記憶手段に設けられた未記録の暗証番号記録エリアへのアクセスを可能とし、前記入力手段による当該アクセスされた未記録の暗証番号記録エリアへの新たな暗証番号の記憶を可能にする暗証番号変更スイッチを備えたことを特徴とする請求項１に記載の建設機械の盗難防止装置。
【請求項３】
前記暗証番号書換手段として、操作時に前記記憶手段に記憶された暗証番号を消去し、前記入力手段による前記記憶手段への新たな暗証番号の記憶を可能にする隠しスイッチを備えたことを特徴とする請求項１に記載の建設機械の盗難防止装置。
【発明の詳細な説明】
【０００１】
【発明の属する技術分野】
本発明は、油圧ショベルなどの建設機械に備えられる盗難防止装置に係り、特に、建設機械に予め記憶された暗証番号と入力手段より入力された暗証番号を比較することによって適正な使用者による使用であるか否かを判定する盗難防止装置における暗証番号の書き換え手段に関する。
【０００２】
【従来の技術】
従来より、例えば特開平４−７０５５９号公報等に記載されているように、予め記憶された暗証番号と入力手段より入力された暗証番号とを比較し、両方の暗証番号が一致したときにキースイッチ操作によるエンジンスタータの始動を可能とし、両方の暗証番号が不一致であるときにはキースイッチ操作によるエンジンスタータの始動を阻止するエンジンの始動ロック装置を備えた建設機械が知られている。
【０００３】
かかるエンジンの始動ロック装置を備えると、予め建設機械に記憶されている暗証番号を知らない者は、エンジンを始動することができないので、建設機械の盗難を防止することができる。
【０００４】
【発明が解決しようとする課題】
しかるに、前記公知文献に記載の発明は、建設機械に記憶されている暗証番号の書き換えについて何ら考慮されていないので、必ずしも万全の盗難防止効果を得ることができないという不都合がある。
【０００５】
即ち、建設機械はリース契約によって複数の使用者によって使用される可能性があるので、暗証番号の書き換えができないと、リース契約によって使用者が転々とした場合に、現在の適正な使用者の他に、当該リース契約に係る建設機械のエンジンを始動するに必要な暗証番号を知る者が存在することになり、万全の盗難防止効果を得ることができない。
【０００６】
本発明は、かかる従来技術の不備を解決するためになされたものであって、その目的は、建設機械に記憶されている暗証番号を随時書き換えることができ、建設機械の盗難を確実に防止できる装置を提供することにある。
【０００７】
【課題を解決するための手段】
前記の目的を達成するために、本発明は、暗証番号の入力手段と、暗証番号の記憶手段と、前記入力手段より入力された暗証番号と前記記憶手段に記憶された暗証番号とを比較し、両方の暗証番号が一致したときにキースイッチ操作によるエンジンスタータの始動を可能とし、両方の暗証番号が不一致であるときにはキースイッチ操作によるエンジンスタータの始動を阻止する比較部とを備えた建設機械の盗難防止装置において、前記入力手段による前記記憶手段に記憶された暗証番号の書き換えを可能にする暗証番号書換手段を備えるという構成にした。
【０００８】
このように、記憶手段に記憶された暗証番号の書換手段を備えると、例えばリース契約時に当該リース契約に係る建設機械に記憶されている暗証番号を新たな暗証番号に書き換えることができるので、新たな暗証番号を当該リース契約の当事者にのみ連絡することにより、他の者によるエンジンの始動を防止することができ、建設機械の盗難をより確実に防止することができる。また、建設機械に元々備えられている入力手段による暗証番号の書き換えを可能にすると、暗証番号の書き換えに使用するための他の入力手段を備える必要がなく、暗証番号書換手段の構成を簡略化できるので、建設機械の盗難防止装置を安価に実施することができる。
【０００９】
また、前記の目的を達成するために、本発明は、前記構成の建設機械の盗難防止装置において、前記暗証番号書換手段として、操作時に前記記憶手段に設けられた未記録の暗証番号記録エリアへのアクセスを可能とし、前記入力手段による当該アクセスされた未記録の暗証番号記録エリアへの新たな暗証番号の記憶を可能にする暗証番号変更スイッチを備えるという構成にした。
【００１０】
このように、暗証番号書換手段として、操作時に記憶手段に設けられた未記録の暗証番号記録エリアへのアクセスを可能とし、入力手段による当該アクセスされた未記録の暗証番号記録エリアへの新たな暗証番号の記憶を可能にする暗証番号変更スイッチを備えると、未記録の暗証番号記録エリアに新たな暗証番号を順次記憶することができるので、新たな暗証番号を基準にしてエンジンスタータの始動と始動の阻止とを行うことによって、新たな暗証番号を知らない者による不正なエンジンの始動を防止することができ、建設機械の盗難を確実に防止することができる。また、建設機械に記憶されていた暗証番号を削除するのではなく、新たな暗証番号を順次記憶してゆくので、互いに異なる暗証番号を持つ複数人による１台の建設機械の共同使用も行うことができる。
【００１１】
また、前記の目的を達成するために、本発明は、前記構成の建設機械の盗難防止装置において、前記暗証番号書換手段として、操作時に前記記憶手段に記憶された暗証番号を消去し、前記入力手段による前記記憶手段への新たな暗証番号の記憶を可能にする隠しスイッチを備えるという構成にした。
【００１２】
このように、暗証番号書換手段として、操作時に記憶手段に記憶された暗証番号を消去し、入力手段による記憶手段への新たな暗証番号の記憶を可能にする隠しスイッチを備えると、記憶手段に記憶されている暗証番号を順次書き換えることができるので、最後に書き換えられた暗証番号を基準にしてエンジンスタータの始動と始動の阻止とを行うことによって、最後に書き換えられた暗証番号を知らない者による不正なエンジンの始動を防止することができ、建設機械の盗難を確実に防止することができる。
【００１３】
【発明の実施の形態】
以下、本発明に係る建設機械盗難防止装置の第１実施形態を、図１乃至図３を用いて説明する。図１は第１実施形態に係る建設機械盗難防止装置の構成図、図２は第１実施形態に係る建設機械盗難防止装置に備えられる記憶手段のメモリ構成を示す表図、図３は第１実施形態に係る建設機械盗難防止装置を用いた暗証番号の書き換え手順を示すフロー図である。
【００１４】
図１に示すように、本例の建設機械盗難防止装置１は、暗証番号の入力手段であるテンキー２と、暗証番号の記憶手段である半導体メモリ３と、前記テンキー２より入力された暗証番号と前記半導体メモリ３に記憶された暗証番号とを比較する比較手段４と、暗証番号の変更時に操作される暗証番号変更スイッチ５と、エンジン始動用のキースイッチ６とエンジンスタータ７との間に介設されたトランジスタ８と、前記テンキー２、半導体メモリ３、比較手段４及び暗証番号変更スイッチ５を制御すると共に前記トランジスタ８への信号の出力を制御するＣＰＵ９とから構成されており、車載バッテリ１０からの電源の供給を受けて動作する。
【００１５】
前記半導体メモリ３には、図２に示すように、複数の暗証番号記録エリア１１ａ〜１１ｎが設けられおり、暗証番号がｎ回記憶できるようになっている。図２の例では、暗証番号記録エリア１１ａのみに暗証番号１２として４桁の数字「５６０３」が記憶されており、他の暗証番号記録エリア１１ｂ〜１１ｎは未記録になっている。
【００１６】
以下、このように構成された第１実施形態に係る建設機械盗難防止装置１の動作について説明する。
【００１７】
エンジンの始動及び始動阻止の手順については、前記公知文献に記載のエンジンの始動ロック装置と同じであり、まずオペレータに暗証番号の入力を求め、オペレータがテンキー２を操作して暗証番号を入力すると、入力された暗証番号と半導体メモリ３の暗証番号記録エリア１１ａに記憶された暗証番号「５６０３」とが比較手段４によって比較される。比較手段４によって両方の暗証番号が一致したと判定されると、ＣＰＵ９からトランジスタ８のベース端子に一致信号が出力され、トランジスタ８が導通状態に切り替わって、キースイッチ６を操作することによるエンジンスタータ７の起動が可能になる。比較手段４による比較の結果、入力された暗証番号と半導体メモリ３の暗証番号記録エリア１１ａに記憶された暗証番号「５６０３」とが一致しないと判定された場合には、ＣＰＵ９からトランジスタ８のベース端子に一致信号が出力されないので、トランジスタ８が非導通状態のまま保持され、キースイッチ６を操作してもエンジンスタータ７が起動されない。これによって、暗証番号を知らない者による建設機械の盗難を防止することができる。
【００１８】
使用する暗証番号を変更する場合には、図３に示すように、テンキー２を操作して、半導体メモリ３の暗証番号記録エリア１１ａに記憶された既記録の暗証番号「５６０３」を入力する（手順Ｓ１）。これによって、ＣＰＵ９からトランジスタ８のベース端子に一致信号が出力され、トランジスタ８が導通状態に切り替わると共に、ＣＰＵ９への暗証番号変更スイッチ５より出力されるスイッチ信号の入力が解除される（手順Ｓ２）。この状態から暗証番号変更スイッチ５がオン操作又はオフ操作されると（手順Ｓ３）、暗証番号変更スイッチ５より出力されたスイッチ信号がＣＰＵ９に入力され、ＣＰＵ９により半導体メモリ３における未記録の暗証番号記録エリア１１ｂ〜１１ｎの１つ、例えば暗証番号記録エリア１１ｂが選択される（手順Ｓ４）。次に、テンキー２を操作して先に選択された暗証番号記録エリアの符号「１１ｂ」に対応する暗証番号変更用番号を入力すると（手順Ｓ５）、選択された暗証番号記録エリアの符号「１１ｂ」に対応する暗証番号変更用番号とテンキー２を操作することによる入力された暗証番号変更用番号とが比較手段４によって判定され（手順Ｓ６）、両番号が一致したと判定された場合には、選択された暗証番号記録エリア１１ｂへのアクセスが可能になる（手順Ｓ７）。しかる後に、テンキー２を操作して新たな暗証番号を入力すると（手順Ｓ８）、当該新たな暗証番号が先に選択された暗証番号記録エリア１１ｂに記憶される（手順Ｓ９）。以下、この新たな暗証番号を基準にして入力された暗証番号が適正か否かを判定することにより、建設機械の盗難を防止することができる。
【００１９】
したがって、例えばリース会社の社員が手順Ｓ１乃至手順Ｓ４までの手続をしてリース契約者にアクセス可能な暗証番号記録エリアの符号を告知し、リース契約者がこの告知された暗証番号記録エリアの符号に基づいて手順Ｓ５以降の手続を行うことにより、リース契約者以外の新たな暗証番号を知る者の数を最小限にすることができ、建設機械の盗難を防止することができる。
【００２０】
第１実施形態に係る建設機械盗難防止装置は、暗証番号変更スイッチ５などの半導体メモリ３に記憶された暗証番号の書換手段を備えたので、半導体メモリ３に記憶された暗証番号を随時書き換えることができ、建設機械の盗難をより確実に防止することができる。また、建設機械に元々備えられているテンキー２を用いて暗証番号の書き換えを行うので、暗証番号の書き換えに使用するための他の入力手段を備える必要がなく、暗証番号書換手段の構成を簡略化できて、建設機械の盗難防止装置を安価に実施することができる。さらに、建設機械に記憶されていた暗証番号を削除するのではなく、新たな暗証番号を順次記憶してゆくので、互いに異なる暗証番号を持つ複数人による１台の建設機械の共同使用も可能になり、建設機械の使用を便利にすることができる。
【００２１】
次に、本発明に係る建設機械盗難防止装置の第２実施形態を、図４及び図５を用いて説明する。図４は第２実施形態に係る建設機械盗難防止装置の構成図、図５は第２実施形態に係る建設機械盗難防止装置を用いた暗証番号の書き換え手順を示すフロー図である。
【００２２】
図４から明らかなように、第２実施形態に係る建設機械盗難防止装置２０は、暗証番号書換手段として、第１実施形態に係る建設機械盗難防止装置１における暗証番号変更スイッチ５に代えて、オン操作時又はオフ操作時に半導体メモリ３に記憶された暗証番号を消去し、テンキー２による半導体メモリ３への新たな暗証番号の記憶を可能にする隠しスイッチ２１を備えたことを特徴とする。その他の構成については、第１実施形態に係る建設機械盗難防止装置１と同じであるので、対応する部分に同一の符号を付して説明を省略する。
【００２３】
以下、このように構成された第２実施形態に係る建設機械盗難防止装置２０の動作について説明する。
【００２４】
エンジンの始動及び始動阻止の手順については、前記第１実施形態に係る建設機械盗難防止装置１と同一の手順で行われる。
【００２５】
使用する暗証番号を変更する場合には、図５に示すように、テンキー２を操作して、半導体メモリ３の暗証番号記録エリア１１ａに記憶された既記録の暗証番号「５６０３」を入力する（手順Ｓ１１）。これによって、ＣＰＵ９からトランジスタ８のベース端子に一致信号が出力され、トランジスタ８が導通状態に切り替わると共に、ＣＰＵ９への隠しスイッチ２１より出力されるスイッチ信号の入力が解除される（手順Ｓ１２）。この状態から隠しスイッチ２１がオン操作又はオフ操作されると（手順Ｓ１３）、隠しスイッチ２１より出力されたスイッチ信号がＣＰＵ９に入力され、ＣＰＵ９により半導体メモリ３の暗証番号記録エリア１１ａに記憶された暗証番号が削除される（手順Ｓ１４）。次に、テンキー２を操作して新たな暗証番号を入力すると（手順Ｓ１５）、この新たな暗証番号が半導体メモリ３の暗証番号記録エリア１１ａに記憶される（手順Ｓ１６）。以下、この新たな暗証番号を基準に入力された暗証番号が適正か否かを判定することによって、建設機械の盗難を防止することができる。
【００２６】
したがって、例えばリース会社の社員が手順Ｓ１１乃至手順Ｓ１４の手続をしてリース契約者に建設機械を引き渡し、リース契約者がテンキー２を操作して新たな暗証番号を入力することにより、リース契約者以外の者が新たな暗証番号を知ることができないので、建設機械の盗難を確実に防止することができる。
【００２７】
本例の建設機械盗難防止装置２０は、暗証番号書換手段として、操作時に記憶手段に記憶された暗証番号を消去し、テンキー２による半導体メモリ３への新たな暗証番号の記憶を可能にする隠しスイッチ２１を備えたので、半導体メモリ３に記憶されている暗証番号を順次書き換えることができる。よって、最後に書き換えられた暗証番号を基準にしてエンジンスタータ７の始動と始動の阻止とを行うことにより、最後に書き換えられた暗証番号を知らない者による不正なエンジンの始動を防止することができて、建設機械の盗難を確実に防止することができる。
【００２８】
なお、本例の建設機械盗難防止装置２０においては、複数の暗証番号記録エリアを有する半導体メモリ３を用いる必要はなく、１つの暗証番号記録エリアを有する半導体メモリ３を用いれば足りる。
【００２９】
【発明の効果】
以上説明したように、本発明に係る建設機械盗難防止装置は、記憶手段に記憶された暗証番号の書換手段を備えたので、例えばリース契約時に当該リース契約に係る建設機械に記憶されている暗証番号を新たな暗証番号に書き換えることができるので、新たな暗証番号を当該リース契約の当事者にのみ連絡することにより、他の者によるエンジンの始動を防止することができ、建設機械の盗難をより確実に防止することができる。また、建設機械に元々備えられている入力手段による暗証番号の書き換えを可能にすると、暗証番号の書き換えに他の入力手段を備える必要がなく、暗証番号書換手段の構成を簡略化できるので、建設機械の盗難防止装置を安価に実施することができる。
【図面の簡単な説明】
【図１】第１実施形態に係る建設機械盗難防止装置の構成図である。
【図２】第１実施形態に係る建設機械盗難防止装置に備えられる記憶手段のメモリ構成を示す表図である。
【図３】第１実施形態に係る建設機械盗難防止装置を用いた暗証番号の書き換え手順を示すフロー図である。
【図４】第２実施形態に係る建設機械盗難防止装置の構成図である。
【図５】第２実施形態に係る建設機械盗難防止装置を用いた暗証番号の書き換え手順を示すフロー図である。
【符号の説明】
１，２０　建設機械盗難防止装置
２　テンキー（入力手段）
３　半導体メモリ（記憶手段）
４　比較手段
５　暗証番号変更スイッチ
６　キースイッチ
７　エンジンスタータ
８　トランジスタ
９　ＣＰＵ
１０　車載バッテリ
１１ａ〜１１ｎ　暗証番号記録エリア
１２　暗証番号
２１　隠しスイッチ
【図１】
2004058720.tif 000003
【図２】
2004058720.tif 000004
【図３】
2004058720.tif 000005
【図４】
2004058720.tif 000006
【図５】
2004058720.tif 000007